(57)【要約】      （修正有）【課題】イヤリング装着時の痛みや脱落の危険性を回避し、耳たぶ損傷の危険性を回避する髪留め具を提供する。【解決手段】髪留め具は、髪を留めるクリップ、ピンまたはステック状の髪留め具本体１と髪留め具本体１の髪挿入部と反対側に設けた輪状のカン２とカン２に通した形状変更自在な装飾取り付け部３と装飾取り付け部３に取り付けた装飾部５とを有する。【選択図】図４
0003232281.tif 000002
【実用新案登録請求の範囲】
【請求項１】
髪を留めるクリップ、ピンまたはステック状の髪留め具本体と、前記髪留め具本体の髪挿入部と反対側に設けた輪状のカンと、前記カンに通した形状変更自在な装飾取り付け部と、前記装飾取り付け部に取り付けた装飾部とを有することを特徴とする髪留め具。
【請求項２】
請求項１記載の髪留め具において、前記クリップ、ピンの留め力が７８．４ｍＮ以上  であることを特徴とする髪留め具。
【請求項３】
請求項１または請求項２記載の記載の髪留め具において、髪留め具本体に輪状カンを有する装飾部ＩＩを設け、前記装飾部ＩＩのカンに形状変更自在な装飾取り付け部と前記装飾取り付け部に取り付けた装飾部を有することを特徴とする髪留め具。
【請求項４】
請求項１、２、３のいずれかに記載の髪留め具において、前記装飾取り付け部に取り付けた時の装飾部の重力方向の長さが４ｃｍから１５ｃｍであることを特徴とする髪留め具。
【考案の詳細な説明】
【技術分野】
【０００１】  本考案は髪を留めるためのものである髪留め具に関し、特に髪留め具に装飾部を設け、耳の後方部髪に装着する髪留め具に関するものである
【技術背景】
【０００２】  従来この種の紙留め具は特許文献１に記載されているようにクリップで髪を止める機構を有し、クリップ上に装飾を施したものや、耳周辺を装飾する技術としては特許文献２に記載されているように耳たぶに孔を穿け、そこ孔に装飾品を掛けるようになっていたり、特許文献３に記載されているように耳に挟むような構造や特許文献４に記載されているように耳を挟んだ磁石で保持するようになっていた。
【先行技術文献】
【０００３】
【特許文献１】実用新案登録３１９２３７６号公報
【特許文献２】特開２０１８−０３８４７５号公報
【特許文献３】特許登録６１９８３５９号公報
【特許文献４】実用新案登録３２１０３２９号公報
【考案の概要】
【考案が解決しようとする課題】
【０００４】  従来この種の髪留め具は特許文献１に記載されているようにクリップで髪を止める機構をし、クリップ上に装飾を施したものであったので装飾は頭髪部の装飾に限られており、髪を留めるクリップと一体化した装飾であるために、装飾内容を自由に変更できないという欠点がある。また耳周辺を装飾する技術としては特許文献２に記載されているように耳たぶに孔を穿け、そこ孔に掛けるようになっているので、耳に孔を穿けることに身体的、精神的苦痛を伴うという課題があった。更に特許文献３に記載されているように耳に挟むような構造や特許文献４に記載されているように耳を挟んだ磁石で保持するよう構造の場合、装飾部が外れて紛失しやすいという欠点があった。
【課題を解決するための手段】
【０００５】  本考案は、上記事情に鑑みてなされたものであり、本考案の請求項１の記載の髪留め具は髪を留めるクリップ、ピンまたはステック状の髪留め具本体と前記髪留め具本体の髪挿入部と反対側に設けた輪状のカンと前記カンに通した形状変更自在な装飾取り付け部と前記装飾取り付け部に取り付けた装飾部とを有している。【０００６】  また本考案の請求項２の記載の髪留め具は請求項１記載の髪留め具において、前記クリップ、ピンの留め力が７８．４ｍＮ以上であるようになっている。【０００７】  更に本考案の請求項３の記載の髪留め具は請求項１または請求項２記載の髪留め具において、髪留め具本体に輪状カンを有する装飾部ＩＩを設け、前記装飾部ＩＩのカンに形状変更自在な装飾取り付け部と前記装飾取り付け部に取り付けた装飾部を有している。【０００８】  また本考案の請求項４の記載の髪留め具は請求項１、２、３のいずれかに記載の髪留め具において、前記装飾取り付け部に取り付けた時の装飾部の重力方向の長さが４ｃｍから１５ｃｍであるようになっている。
【考案の効果】
【０００９】  本考案の請求項１の記載の髪留め具は髪を留めるクリップ、ピンまたはステック状の髪留め具本体と前記髪留め具本体の髪挿入部と反対側に設けた輪状のカンと前記カンに通した形状変更自在な装飾取り付け部と前記装飾取り付け部に取り付けた装飾部とを有しているので、耳に孔を穿けて身体的、精神的な苦痛を受けることなく装飾部を身に着けることができ、装飾部を取り換えるだけで様々な装飾部を利用することが可能になる。【００１０】  また本考案の請求項２の記載の髪留め具は請求項１記載の髪留め具において、前記クリップ、ピンの留め力が７８．４ｍＮ以上であるようになっているので、通常耳周辺に利用する装飾品を装飾部として利用することが可能であり、髪留め部が髪から外れることもなく、紛失の恐れがないという利点がある。【００１１】  更に本考案の請求項３の記載の髪留め具は請求項１または請求項２記載の髪留め具において、髪留め具本体に輪状カンを有する装飾部ＩＩを設け、前記装飾部ＩＩのカンに形状変更自在な装飾取り付け部と前記装飾取り付け部に取り付けた装飾部を有しているので、耳周辺だけでなく、頭髪部の装飾も可能であり、装飾部を取り付けるカンを装飾部ＩＩで隠し、装飾部がより耳飾りとしての効果をより引きだせる利点がある。【００１２】  また本考案の請求項４の記載の髪留め具は請求項１、２、３のいずれかに記載の髪留め具において、前記装飾取り付け部に取り付けた時の装飾部の重力方向の長さが４ｃｍから１５ｃｍであるようになっているので、髪留め具の装飾部がよりイヤリングに近い装飾として利用できる。
【図面の簡単な説明】
【００１３】
【図１】本考案の第一実施例の装飾部を除く部分の平面図である。
【図２】は図１に装飾部ＩＩを取り付けたときの平面図である。
【図３】は図２に装飾部を取り付けたときの平面図である。
【図４】本考案第一実施例の髪留め具を装着した例の斜視図である
【考案を実施するための形態】
【００１４】  以下、本考案を適用した髪留め具の実施形態を図面に基づいて詳述する。なお、各図面において、同じ符号を付した部材等は、同一又は類似の構成のものであり、これらについての重複説明は省略するものとする。また、各図面においては、説明に不要な部材等は適宜、図示を省略している。
【００１５】  図１〜図４を用いて本考案を適用した髪留め具の第一実施形態について説明する。図１は本考案の第一実施例の装飾部を除く部分の平面図であり、図２は図１に装飾部ＩＩを取り付けたときの平面図、図３は図２に装飾部を取り付けたときの平面図、図４は本考案第一実施例の髪留め具を装着した例の斜視図である
【００１６】    図１に示すように本考案の第一実施形態の髪留め具は、ヘア用のピンからなる髪留め具本体１と髪留め具本体１の髪挿入部と反対側に設けた輪状のカン２とカン２に通した形状変更自在な装飾取り付け部３を有し、図２および図３に示すようにカン２を隠ぺいするように装飾部ＩＩ４を付けたり、装飾取り付け部３に装飾部５を付けている。また図４に示すように本考案の第一実施形態の髪留め具を耳の斜め後ろの髪に装着することにより、あたかも通常のイヤリングをしているかのような装飾が可能となる。
【００１７】    図４に示すようなあたかもイヤリングを装着しているような装飾を実現するためには、装飾取り付け部３に取り付けた時の装飾部５の重力方向の長さが４ｃｍから１５ｃｍであるようになっており、このように比較的長く、いろいろな種類の装飾部５を付けた髪留め具が髪から外れ落ちないために本出願人は髪留め具本体１の留め力に注目した。留め力とは髪留め具本体１を髪に装着して、いくらの力で引き抜けば髪から外れるかという試験を行った時の外れる限界の力である。本出願人はいろいろな髪留め具本体について鋭意留め力試験を行い、７８．４ｍＮ以上の留め力があれば、髪留め具が髪から外れずいろいろな装飾品を装飾部５に利用できること発見し、本実施例１の髪留め具に適用している。
【００１８】  以上、本考案の第一実施形態の髪留め具について、髪留め具本体をピンの例で説明したが、髪留め具本体はクリップまたはステック状であってもよい。また、髪留め具や装飾部分などそれぞれを構成する素材については限定しないものである。
【符号の説明】
【００１９】  １  髪留め具本体
２  カン
３  装飾取り付け部
４  装飾部ＩＩ
５  装飾部
【図１】
0003232281.tif 000003
【図２】
0003232281.tif 000004
【図３】
0003232281.tif 000005
【図４】
0003232281.tif 000006